【事件の表示】
　商願２００４−２５８４８拒絶査定不服審判事件について、次のとおり審決する。
【結　論】
　原査定を取り消す。
　本願商標は、登録すべきものとする。
【理　由】
１　本願商標
　本願商標は、別掲のとおりの構成よりなり、第２５類に属する願書記載とおりの商品を指定商品として、平成１６年３月１９日に登録出願されたものである。
　そして、願書記載の指定商品については、平成１６年１０月７日付け手続補正書により、第２５類「洋服，コート，セーター類，ワイシャツ類，寝巻き類，下着，水泳着，水泳帽，帽子，ズボンつり，バンド，ベルト，靴類（「靴合わせくぎ・靴くぎ・靴の引き手・靴びょう・靴保護金具」を除く。），草履類」と補正されたものである。   
　
２　引用商標
　原査定において、本願の拒絶の理由に引用した登録第５７１６２号商標（以下「引用商標１」という。）は、別掲のとおりの構成よりなり、昭和３４年４月２７日登録出願、商標登録原簿に記載の商品を指定商品として、同３６年５月１日に設定登録、その後、指定商品については、平成１４年６月１２日に第９類「事故防護用手袋」、第１０類「医療用手袋」、第１４類「ネクタイピン，宝石ブローチ 」、第２１類「家事用手袋」、第２４類「布製身の回り品」及び第２５類「洋服，オーバーコート，レインコート，股引き，きゃはん，帽子，セーター類，ワイシャツ類，寝巻き類，下着，水泳着，水泳帽，シャツ，じゅばん，ずぼん下，手袋，靴下，カラー，カフス，ネクタイ，えり巻き，ガーター，巻ゲートル」への書換登録がされたものである。
　同じく登録第１７１６１３８号商標（以下「引用商標２」という。）は、別掲のとおりの構成よりなり、昭和４５年９月４日登録出願、商標登録原簿に記載の商品を指定商品として、同５９年９月２６日に設定登録、その後、指定商品については、平成１７年１月２６日に第２４類「布製身の回り品」及び第２５類「被服」への書換登録がされたものである。
　同じく登録第２３７２００８号商標（以下「引用商標３」という。）は、別掲のとおりの構成より、昭和４４年１０月９日登録出願、商標登録原簿に記載の商品を指定商品として、平成４年１月３１日に設定登録、その後、指定商品については、平成１４年７月１０日に第５類「失禁用おしめ」、第９類「事故防護用手袋，防火被服」、第１０類「医療用手袋」、第１６類「紙製幼児用おしめ」、第１７類「絶縁手袋」、第２０類「クッション，座布団，まくら，マットレス」、第２１類「家事用手袋」、第２２類「衣服綿，ハンモック，布団袋，布団綿」、第２４類「布製身の回り品，かや，敷布，布団，布団カバー，布団側，まくらカバー，毛布」及び第２５類「被服」への書換登録がされたものである。　
　同じく登録第２３７２００９号商標（以下「引用商標４」という。）は、別掲のとおりの構成より、昭和４６年１２月１０日登録出願、商標登録原簿に記載の商品を指定商品として、平成４年１月３１日に設定登録、その後、指定商品については、平成１４年７月１０日に第５類「失禁用おしめ」、第９類「事故防護用手袋，防火被服」、第１０類「医療用手袋」、第１６類「紙製幼児用おしめ」、第１７類「絶縁手袋」、第２０類「クッション，座布団，まくら，マットレス」、第２１類「家事用手袋」、第２２類「衣服綿，ハンモック，布団袋，布団綿」、第２４類「布製身の回り品，かや，敷布，布団，布団カバー，布団側，まくらカバー，毛布」及び第２５類「被服」への書換登録がされたものである。
　同じく登録第２４５３５８１号商標（以下「引用商標５」という。）は、別掲のとおりの構成より、昭和５５年９月１０日登録出願、商標登録原簿に記載の商品を指定商品として、平成４年９月３０日に設定登録、その後、指定商品については、平成１５年３月５日に第５類「失禁用おしめ」、第９類「事故防護用手袋，防火被服」、第１０類「医療用手袋」、第１６類「紙製幼児用おしめ」、第１７類「絶縁手袋」、第２０類「クッション，座布団，まくら，マットレス」、第２１類「家事用手袋」、第２２類「衣服綿，ハンモック，布団袋，布団綿」、第２４類「布製身の回り品，かや，敷布，布団，布団カバー，布団側，まくらカバー，毛布」及び第２５類「被服」への書換登録がされたものである。
　同じく登録第２４６５８５８号商標（以下「引用商標６」という。）は、別掲のとおりの構成より、昭和４６年１２月１０日登録出願、商標登録原簿に記載の商品を指定商品として、平成４年１０月３０日に設定登録、その後、指定商品については、平成１５年３月２６日に第５類「失禁用おしめ」、第９類「事故防護用手袋，防火被服」、第１０類「医療用手袋」、第１６類「紙製幼児用おしめ」、第１７類「絶縁手袋」、第２０類「クッション，座布団，まくら，マットレス」、第２１類「家事用手袋」、第２２類「衣服綿，ハンモック，布団袋，布団綿」、第２４類「布製身の回り品，かや，敷布，布団，布団カバー，布団側，まくらカバー，毛布」及び第２５類「被服」への書換登録がされたものである。　
　同じく登録第２５２１６０７号商標（以下「引用商標７」という。）は、別掲のとおりの構成より、平成２年９月５日登録出願、商標登録原簿に記載の商品を指定商品として、平成５年３月３１日に設定登録、その後、指定商品については、平成１５年８月６日に第５類「失禁用おしめ」、第９類「事故防護用手袋，防火被服」、第１０類「医療用手袋」、第１６類「紙製幼児用おしめ」、第１７類「絶縁手袋」、第２０類「クッション，座布団，まくら，マットレス」、第２１類「家事用手袋」、第２２類「衣服綿，ハンモック，布団袋，布団綿」、第２４類「布製身の回り品，かや，敷布，布団，布団カバー，布団側，まくらカバー，毛布」及び第２５類「被服」への書換登録がされたものである。
　同じく登録第２６７１１０１号商標（以下「引用商標８」という。）は、別掲のとおりの構成より、昭和５５年１０月２８日登録出願、商標登録原簿に記載の商品を指定商品として、平成６年５月３１日に設定登録され、現に有効に存続しているものである。
　同じく登録第４５６１２８０号商標（以下「引用商標９」という。）は、別掲のとおりの構成より、平成１２年１１月２９日登録出願、商標登録原簿に記載の商品を指定商品として、平成１４年４月１９日に設定登録されたものである。
　同じく、国際登録第８００００５号商標（以下「引用商標１０」という。）は、別掲のとおりの構成よりなり、平成１４年（２００２年）１２月２０日登録出願、指定商品については、第１８類、第２４類及び第２５類に属する原簿記載のとおりの商品を指定商品として、同１６年（２００４年）３月１２日に設定登録されたものである。
　また、出願に係る商標が登録されたときに、商標法第４条第１項第１１号に該当することとなるとして引用した、商標登録願２００１−９５１１０号は、別掲のとおりの構成より、平成１３年１０月２４日登録出願、商標登録原簿に記載の商品を指定商品とし、平成１７年６月３日に登録第４８６８５５１号商標（以下「引用商標１１」という。）として設定登録されたものである。
　以下、これらを「引用各商標」ともいう。
　なお、原査定において、本願の拒絶の理由に引用した国際登録第８０８０３３号商標は、その指定商品については、平成１６年１２月１６日に付け手続補正書により補正された結果、本願商標の指定商品と同一又は類似の商品は、すべて削除されたと認められるものである。
　
３　当審の判断
　本願商標は、別掲のとおり、二重菱形図形内の中央に「Ｃｏｃｃｏｄｅａｎ」の文字を表し、その文字を囲むように尾の部分を湾曲させた二匹のワニの図を配してなるところ、全体としてまとまりよく一体に表されていることから、これに接した取引者、需要者は、その特徴的な外観を把握し、前記文字に相応して生ずる「コッコディーン」の称呼をもって取引にあたるものとみるのが相当である。
　そうすると、本願商標は、その構成文字に相応して「コッコディーン」の称呼のみを生ずるものであって、単に「ワニ」の称呼及び「ワニ」の観念は生じないものといわなければならない。
　一方、引用各商標は、別掲のとおり、いずれも「ワニ」の図形のみからなるもの又は「ワニ」の図形と文字等との組み合わせからなるものである。 
　してみれば、本願商標より「ワニ」の称呼及び「ワニ」の観念をも生ずるとし、その上で、本願商標と引用各商標とが、称呼上及び観念上類似するから、本願商標が商標法第４条第１項第１１号に該当するとして本願を拒絶した原査定は、取り消しを免れない。
　その他、政令で定める期間内に本願について拒絶の理由を発見しない。 
　よって、結論のとおり審決する。